(57)【要約】【課題】電力は石炭、石油そして原子力等を主としたエネルギーを燃焼させ発電しているがこれは資源の枯渇や地球環境の悪化がますます重大な社会問題に発展している。これを解決するため新たな原理による発電が待ち望まれていた。本発明はこれを解決すべくエネルギーを支給なしで発電可能なものでその原理は入力電力より大なる出力電力を得ることである。【解決手段】交流電気回路において負荷が接続されたインダクタ及びキャパシタがあり、これを電流共振させインダクタ電流ｉＬとキャパシタ電流ｉＣが丁度逆相になるように構成し電流を互いにキャンセル相殺して一次電力を僅少化し、結果的に一次電力より大なる出力電力を得ることを特徴とする電力増倍器。【選択図】図１
2005261097.tif 000002
【特許請求の範囲】
【請求項１】
交流電力回路において電源に並列に配置されたインダクタンスＬがあり、当該インダクタンスＬに部分的に並列接続され、または電磁的結合された負荷抵抗Ｒがあり、当該インダクタンスＬと並列又は部分的並列に配置されたキャパシタＣがある回路において
当該インダクタＬと当該キャパシタＣによる入力周波数との共振現象を誘起させる手段をとり、共振電流キャバシタｉＣが共振電流インダクタンスｉＬの電流との位相差が１８０度即ち逆相になるべく回路構成し、さらにインダクタンス電流ｉＬとキャパシタ電流ｉＣの絶対値をほぼ同一になるべく構成する。それがため合成電流はインダクタンス電流ｉＬとキャパシタ電流ｉＣの合成であるが故、互いに逆相関係からキャンセル相殺して僅少な電流となり、結果として一次電力（入力電力）を極めて小さな電力となすべく動作するように構成する。負荷抵抗ＲはインダクタンスＬよりＭ結合接続されるので充分な電圧が印可され電力が消費される。
これにより上記回路の一次電力（入力電力）が僅少化された故、当該一次電力より大きな二次電力（出力電力）を得ることを特徴とする電力増倍器
【請求項２】
バッテリ（Ｂ）がありバッテリ電源を交流変換（Ｇ）し交流電力（Ｐ１）とし、本発明の電力増倍器により増倍された電力（Ｐ２）を得て、当該増倍電力Ｐ２の一部を上記バッテリ電源（P１）に還元し余剰電力（Ｐ３＝Ｐ２−Ｐ１）を任意の電力として使用できるように構成した電力増倍器による発電器。
【請求項３】
電力送電網において発電所送電部に本発明の電力増倍器１を置き、送電線で接続された変電所に電力増倍器２を置き、最終電力需用者に分配する柱上トランス部に電力増倍器３をおくがごとく電力増倍器を多段従属的に接続し電力増倍器の単独効率がＡとし電力増倍器をＮ個従属接続した場合総合効率はＡのＮ乗になることを特徴とする電力増倍器
【発明の詳細な説明】
【技術分野】
【０００１】
本発明は電力の増倍により入力電力より大きい電力発生に関するものである。
【背景技術】
【０００２】
電気の共振現象は周知の技術である。従来共振回路に負荷を接続するとそれに従った位相変化が生じ本発明のような現象は存在しないとされてきた。本発明では電流の共振による共振電流がインダクタンス電流ｉＬとキャパシタ電流ｉＣが逆相関係にする回路を考案し逆相電流を合成すると相殺キャンセルするがこれらを組み合わせ本発明を成立させた。
【非特許文献１】海鳴社  １９９９年６月２２日  熱学史本書はエネルギー保存則並びに永久運動不能の解説であり１８００年代力学的永久機関不能確率後も電気、化学等ではその可能性があるかもしれないとした。その後現代まで幾多の人々が成功せしめる試みするもいまだかつて成功しない。よって本発明の様な現象は存在しないとしている。
【発明の開示】
【発明が解決しようとする課題】
【０００３】
電力は水力、石油、原子力などを燃料とし得られるのが主であった。これらエネルギー資源の枯渇はもはや時間の問題であり地球環境にあたえる影響は計り知れない。そこで燃料等一切使用しない全く新たな原理にもとずく電力発生器の提案が待ち望まれていた。太陽電池、風力発電などはそれが目的のため発展途上であるがまだまだ使用量が微少である。本発明はこれらを大きく解決できる要素をもつ提案である。また本発明は入力電力より大なる出力電力を得るので電力増倍器の出力の一部電力を入力に還元し発電機とすることも可能なことは理の当然である。
【課題を解決するための手段】
【０００４】
本発明は共振時インダクタンスＬの共振電流ｉＬとキャパシタＣの共振電流ｉＣの電流位相が逆相になる様にインダクタンスＬ、キャパシタＣを選択構成しインダクタンスＬの共振電流ｉＬとキャパシタＣの共振電流ｉＣの電流位相が逆相であるがため電流を互いにキャンセルし合成電流を僅少化するを基本原理とする。これにより入力電力が極めて小さくすることが可能であり、それがため極めて大なる出力電力が生成されるを特徴とする。
【発明の効果】
【０００５】
従来「もらったエネルギーよりも多くの仕事は出来ない」と云う極めて単純な言葉からこの種の発明は無かった。
本発明の効果について述べる。
本発明は入力電力より大なる出力電力を得る。その量は入力電力の数倍程度になる。勿論インダクタンスＬの共振電流ｉＬとキャパシタＣの共振電流ｉＣの電流位相や振幅を調整、改善することにより効率倍数は上昇するものである。仮に負荷がありながら電流位相が丁度１８０度に位相調整がなされ電流値の絶対値が等しいなら、その合成電流は零なので効率は無限大になる。つまり完全な１８０度逆相で電流値も同一ならキャンセル相殺することで合成電流を殆ど零にすることが可能である。合成電流が零であることは通過電力が零であることを意味する。負荷電力を供給しているにもかかわらず入力電力がゼロ（に近い）と云うきわめて特異な現象を呈する。
この様な電気回路は従来「効率１００％以上になる回路は原理的に存在しない」とされ、これが現代物理学の根底を構成する一要因になっていた。従って本発明は従来不可能とされてきた。しかし今回基礎実験並びに理論的検討を加え本発明をなしとげた。。
【０００６】
本発明は、入力電力より大なる出力電力を容易に得られる。一般には効率は５乃至１０倍程度になる。
たとえば効率５倍に成ったとすれば１に相当する電力を入力電力に還元し４に相当する電気量は外部にて任意に使用できることは理の当然である。また効率５倍なるものをシリーズに接続すれば総合効率は２５倍になるも当然の理である。
本発明の電力は無公害、無振動、無雑音であることは当然ですが、なによりも特記すべきは燃料等のエネルギー補給が必要ないことである。
【発明を実施するための最良の形態】
【０００７】
本発明は従来存在しなかったものであるからどのような実施も最良の形態になるだろう。大きく分けて２つの実施形態がある。
第一は単純に電力増倍として実施するもので例えば小電力の電源設備で大電力の機器を駆動する形態である。
発電所系で採用すれば発電所の送り出し点で本発明を実施し、変電所でも同様に本発明の電力増倍を採用し柱上トランス部でも採用すれば従属接続になり発電所から送り出す電力の数十倍の負荷電力を供給可能である。
【０００８】
第二は発電機として利用するものである。一般家庭用電源として５ｋｗ程度のもの。ビル用として５００ｋｗ程度のもの。工場用として５０００ｋｗ程度のものが代表となろう。そして自動車用として駆動エンジンにかわる２０ＫＷから５０ｋｗ程度の小型軽量の発電器が期待される。微小発電でバッテリーにかわるなども大いに期待されるであろう。
本発明の実用化で危険負担の多い原子力発電は縮小または廃棄可能である。
【実施例１】
【０００９】
図１は本発明の一実施例を示す原理図である。一実施例であるから図１の他に種々の形態、回路が存在するのは当然である。
図１について説明する。
図１の電源Ｇ１からＥ０なる電圧が発生しトランスＴ２の一次線輪に印加される。当然トランスＴの二次回路にＥ１なる電圧が誘起される。この電圧Ｅ１は電力増倍回路のインダクタンスＬの端子（１）と端子（５）に印加される。負荷抵抗Ｒ８はインダクタンス５の電磁結合タップ（３）並びに（４）に接続される。キャパシタＣ４はインダクタンス５の（２）に接続される。この（２）なる端子はインダクタ５上の（１）より（５）までスライド可変できる端子とすることが望ましく後述する回路の電流共振最大点に設定を容易にすることが可能である。斯様な電力増倍回路にＥ１なる電圧を加えるとインダクタンス５と負荷抵抗Ｒ８との合成された電流は図１の７ｉＬとして流れる。またキャパシタＣ４にはｉＣなる電流が流れることが理解されよう。
【００１０】
図１の３は回路電流ｉ１であるがこれはインダクタンス電流７ｉＬとキャパシタ電流６ｉＣの合成であることは云うまでもない。ここで電源周波数にインダクタンス５とキャパシタ４が共振するとインダクタンス電流ｉＬとキャパシタ電流ｉＣとが電流共振により電流が流れ、そして１８０度の逆相関係になる。インダクタンス５の（２）点をスライド選択すると１８０度逆相でｉＬ、ｉＣの電流絶対値が等しくなる点を見つけることが容易に出来る。このことにより図１の３の回路合成電流ｉ１はインダクタンス電流ｉＬとキャパシタ電流ｉＣがキャンセル相殺されて僅少な値になる。
【００１１】
図１の回路電流３のｉ１はｉＬ、ｉＣが互いに逆相同電流のため非常に小さな電流となることは前述したがこれにより入力電力も小さな値となる。一方電力増倍インダクタンス５の負荷に印加する二次電圧Ｅインダクタンス５の（２）と（５）の区間を共振電流が流れるためＭ結合されているインダクタンス５に相当の電圧が分布され、よって負荷抵抗Ｒ９に印加する電圧Ｅ２はインダクタンス５上の（３）と（４）間に生じる電圧となる。二次電圧Ｅ２は一次電圧Ｅ１より若干低いのが常であるがこれを補うためＥ２／Ｅ１の電圧降下比を図１のトランスＴ２により補正しＥ０が常にＥ２になるべく電圧をステップアップすればよい。
かかる結果一次電力はインダクタンス電流ｉＬとキャパシタ電流ｉＣのキャンセルで合成電力が非常に僅少化するが故、入力電力より大なる出力電力が容易に得ることが出来ると云う特殊な現象を呈する。
【００１２】
図２はインダクタンス電流ｉＬとキャパシタ電流ｉＣの波形並びに合成電流ｉ１を示したものである。インダクタンス電流ｉＬとキャパシタ電流ｉＣは時間軸Ｔ１でしめしているが丁度１８０度の位相差があり、その合成電流ｉ１は殆ど電流が流れないことが理解されよう。よって入力電力より大なる出力電力が得られる特徴がある。
前にも述べたが図１は実施例の１つであるから実際には種種の回路が存在する。要はインダクタンス電流ｉＬとキャパシタ電流ｉＣが逆相でその合成電流がキャンセルし僅少化する事である。  
【００１３】
本発明を永久発電機に構成した場合ついて図３で説明する。電力増倍作用はすでに述べた通りである。
図３の電源Ｇ１１はバッテリーＢ１８の電圧で駆動する交流変換器でありその電力は図３のＰ１でしめされる。Ｐ１なる電力は電力増倍器の入力電力となる。電力増倍作用により発生した電力はＰ２として表す。このＰ２の一部であるＰ１に相当する電力Ｐ３を整流器Ｄ１７で直流に変換しバッテリーＢ１８に充電される。バッテリーＢ１８から交流変換器Ｇ１１の電源となる。バッテリーＢ１８は装置の初期スタートならびに電圧変動等を抑える。しかる後、電力増倍器出力電力Ｐ２からバッテリーＢ１８に充電する還元電力を引いた余剰電力Ｐ４は任意に使用できる。
【００１４】
任意に使用出来る電力量Ｐ４は次による。
Ｐ４=Ｐ２−Ｐ３      となる。
ただし  Ｐ３＝Ｐ１    であるから電力を外部に供給し続けることが理解されよう。
このように電力増倍した出力の一部を入力に還元し永久発電を可能とした。
【産業上の利用可能性】
【００１５】
本発明は人類の夢の実現化である。本発明で発生せられる電力は無公害であり地球上どこでも安定して供給する電力であり、基本的には電力コストは無料である。
したがって産業上の利用可能性は無限にある。
国家的利用としては本発明の電力増倍器を発電所の送電網に使用することが可能である。送電送出部に採用し、次に変電所で採用、さらに柱上トランス部で採用するが如く多段従属に接続すると電力増倍器一個あたりの増倍数をＡとしＮ個多段接続すれなＡのＮ乗なる非常に膨大な電力増倍を可能とする。
【図面の簡単な説明】
【００１６】
【図１】本発明の電力増倍の一実施例を示す。
【図２】図１を説明する波形図
【図３】本発明の電力増倍を用いて発電機として構成した一実施例を示す。
【符号の説明】
【００１７】
１は交流電源Ｇ
２はトランスＴ
３は一次電力通過点ｉ１
４はキャパシタＣ
５はインダクタンスＬ
６はキャパシタ４Ｃを流れる電流ｉＣ
７はインダクタンス５Ｌを流れる電流ｉＬ
８は負荷抵抗Ｒを流れる電流ｉＲ
９は負荷抵抗Ｒ
ｉＬはインダクタンスＬを流れる共振電流波形
ｉＣはキャパシタＣを流れる共振電流波形
ｉ１はｉＬとｉＣの合成電流波形
１１は交流変換電源Ｇ
１２はトランスＴ
１３はキャパシタＣ
１４はインダクタンスＬ
１５は電力増倍された電力通過点Ｐ２
１６は負荷抵抗Ｒ
１７は整流器Ｄ
１８はバッテリーＢ
【図１】
2005261097.tif 000003
【図２】
2005261097.tif 000004
【図３】
2005261097.tif 000005